(57)【要約】【課題】ハイドロキシアパタイト充填剤で構成される吸着剤を用いた、試料液中に含まれる帯電物質の分離を、ハイドロキシアパタイト充填剤に優れた耐久性を付与することで、複数回に亘り連続して実施することができる処理方法、かかる処理方法が適用された生産方法およびハイドロキシアパタイト充填剤を提供すること。【解決手段】本発明の処理方法は、ハイドロキシアパタイト充填剤に、所定の物質を含む第１の液体を接触させる第１ステップと、前記ハイドロキシアパタイト充填剤に、アルコールを含む第２の液体を接触させる第２ステップとを有する。【選択図】図２
2020099909.tif 000002
【特許請求の範囲】
【請求項１】
ハイドロキシアパタイト充填剤に、所定の物質を含む第１の液体を接触させる第１ステップと、
前記ハイドロキシアパタイト充填剤に、アルコールを含む第２の液体を接触させる第２ステップとを有することを特徴とする処理方法。
【請求項２】
前記アルコールは、低級アルコールである請求項１に記載の処理方法。
【請求項３】
前記第２の液体において、前記アルコールは、その含有量が２０ｗｔ％以上である請求項１または２に記載の処理方法。
【請求項４】
前記第２の液体は、さらに、カルシウムイオンを含む請求項１ないし３のいずれか１項に記載の処理方法。
【請求項５】
前記第２の液体における、前記カルシウムイオンの濃度は１．０ｍＭ以上２０．０ｍＭ以下である請求項４に記載の処理方法。
【請求項６】
ハイドロキシアパタイト充填剤に、所定の物質を含む第１の液体を接触させる第１ステップと、
前記ハイドロキシアパタイト充填剤に、含有量が０．０５Ｍ以下のＮａＯＨを含む第２の液体を１２時間以上接触させる第２ステップとを有することを特徴とする処理方法。
【請求項７】
前記第２ステップにおいて、前記ハイドロキシアパタイト充填剤に対する前記第２の液体による接触は、前記ハイドロキシアパタイト充填剤の２倍量以上の前記第２の液体を、前記ハイドロキシアパタイト充填剤を通過させた後に、前記第２の液体中に前記ハイドロキシアパタイト充填剤を静置する工程を含む請求項１ないし６のいずれか１項に記載の処理方法。
【請求項８】
前記第１ステップにおいて、前記所定の物質としてリン酸塩を含むリン酸緩衝液を前記第１の液体として、前記ハイドロキシアパタイト充填剤に接触させる注入工程と、
前記所定の物質としてリン酸塩と、リン酸塩とは異なる他の塩とを含むリン酸緩衝液を前記第１の液体として、前記ハイドロキシアパタイト充填剤に接触させる回収工程と、
前記所定の物質としてリン酸塩を含むリン酸緩衝液を前記第１の液体として、前記ハイドロキシアパタイト充填剤に接触させる洗浄工程と、
前記所定の物質としてアルカリを含むアルカリ溶液を前記第１の液体として、前記ハイドロキシアパタイト充填剤に接触させるアルカリ洗浄工程と、
前記所定の物質としてリン酸塩を含むリン酸緩衝液を前記第１の液体として、前記ハイドロキシアパタイト充填剤に接触させるｐＨ平衡工程と、を有する請求項１ないし７のいずれか１項に記載の処理方法。
【請求項９】
さらに、前記洗浄工程に先立って、カルシウムイオンを含む前記第１の液体を、前記ハイドロキシアパタイト充填剤に接触させるＣａ補填工程を有する請求項１ないし８のいずれか１項に記載の処理方法。
【請求項１０】
請求項１ないし９のいずれか１項に記載の処理方法によって前記ハイドロキシアパタイト充填剤を処理する処理工程と、
目的物質を含む液体組成物を準備する組成物準備工程と、
前記処理工程で処理された前記ハイドロキシアパタイト充填剤を用いて、前記液体組成物から前記目的物質を分離して得る分離工程と、を有することを特徴とする生産方法。
【請求項１１】
目的物質を含む液体組成物から該目的物質を分離する分離工程においてすでに一度以上使用された前記ハイドロキシアパタイト充填剤を準備する充填剤準備工程と、
請求項１ないし９のいずれか１項に記載の処理方法によって、前記ハイドロキシアパタイト充填剤を処理することにより、耐久性を向上させた前記ハイドロキシアパタイト充填剤を得る再生産工程とを有することを特徴とする生産方法。
【請求項１２】
請求項１１に記載の生産方法によって得られるハイドロキシアパタイト充填剤。
【発明の詳細な説明】
【技術分野】
【０００１】
本発明は、ハイドロキシアパタイト充填剤の耐久性を向上させることが可能な処理方法、かかる処理方法が適用された生産方法およびハイドロキシアパタイト充填剤に関する。
【背景技術】
【０００２】
ハイドロキシアパタイトの二次粒子を含む粉体のようなハイドロキシアパタイト充填剤は、生体親和性に優れることから、従来から、試料液中に含まれるタンパク質等の帯電物質を吸着・分離する液体クロマトグラフィー用カラム（吸着装置）に使用する吸着剤として広く利用されている（例えば、特許文献１参照）。
【０００３】
この液体クロマトグラフィー用カラムでは、カラム本体内に充填された吸着剤、すなわち、ハイドロキシアパタイト充填剤において、試料液中に含まれる帯電物質を、吸着剤に吸着させた後に、吸着剤から離脱させることにより分離させ、この吸着・分離を繰り返して実施することにより、試料液中に含まれる帯電物質すなわち目的物質としての単離物の分離（精製）を複数回に亘って行うことができる。
【０００４】
ところで、ハイドロキシアパタイト充填剤で構成される吸着剤を用いた帯電物質（目的物質）の分離を、繰り返して実施すること、さらに、この分離を一時休止して、保存液をカラム本体内に供給することで吸着剤を保存する保存処理を実施することにより、カラム本体内に充填された吸着剤のうち、特に、流出側開口付近に位置する吸着剤において、カラム本体内に試料液を供給する際に、大きな圧力が掛かることとなる。そして、これに起因して、粒子状をなす吸着剤すなわち粉体が、砂状または塊状をなすものとなってしまう。その結果、カラム本体内に試料液を供給するときの圧力が、繰り返して実施する回数を重ねる毎に大きくなり、最終的には、カラム本体内に試料液を供給すなわち流入させることができなくなると言う問題が生じる。すなわち、ハイドロキシアパタイトの二次粒子を含む粉体で構成される吸着剤を用いて、試料液中に含まれる帯電物質（目的物質）の分離を、複数回に亘って繰り返して実施するための耐久性を、ハイドロキシアパタイトの二次粒子を含む粉体に対して、さらに高める余地があった。本発明者は、このような余地を有することを発見した。
【先行技術文献】
【特許文献】
【０００５】
【特許文献１】特表２０１３−５３４２５２号公報
【発明の概要】
【発明が解決しようとする課題】
【０００６】
本発明の目的は、ハイドロキシアパタイト充填剤で構成される吸着剤を用いた、試料液中に含まれる帯電物質の分離を、ハイドロキシアパタイト充填剤に優れた耐久性を付与することで、複数回に亘り連続して実施することができる処理方法、かかる処理方法が適用された生産方法およびハイドロキシアパタイト充填剤を提供することにある。
【課題を解決するための手段】
【０００７】
このような目的は、下記（１）〜（１２）に記載の本発明により達成される。
（１）  ハイドロキシアパタイト充填剤に、所定の物質を含む第１の液体を接触させる第１ステップと、
前記ハイドロキシアパタイト充填剤に、アルコールを含む第２の液体を接触させる第２ステップとを有することを特徴とする処理方法。
これにより、ハイドロキシアパタイト充填剤に優れた耐久性を付与することができる。
【０００８】
（２）  前記アルコールは、低級アルコールである上記（１）に記載の処理方法。
これにより、ハイドロキシアパタイト充填剤で構成される吸着剤に、優れた耐久性を確実に付与することができる。
【０００９】
（３）  前記第２の液体において、前記アルコールは、その含有量が２０ｗｔ％以上である上記（１）または（２）に記載の処理方法。
これにより、ハイドロキシアパタイト充填剤で構成される吸着剤に、優れた耐久性を確実に付与することができる。
【００１０】
（４）  前記第２の液体は、さらに、カルシウムイオンを含む上記（１）ないし（３）のいずれかに記載の処理方法。
これにより、ハイドロキシアパタイト充填剤で構成される吸着剤に、優れた耐久性を確実に付与することができる。
【００１１】
（５）  前記第２の液体における、前記カルシウムイオンの濃度は１．０ｍＭ以上２０．０ｍＭ以下である上記（４）に記載の処理方法。
これにより、ハイドロキシアパタイト充填剤で構成される吸着剤に、優れた耐久性を確実に付与することができる。
【００１２】
（６）  ハイドロキシアパタイト充填剤に、所定の物質を含む第１の液体を接触させる第１ステップと、
前記ハイドロキシアパタイト充填剤に、含有量が０．０５Ｍ以下のＮａＯＨを含む第２の液体を１２時間以上接触させる第２ステップとを有することを特徴とする処理方法。
これにより、ハイドロキシアパタイト充填剤に優れた耐久性を付与することができる。
【００１３】
（７）  前記第２ステップにおいて、前記ハイドロキシアパタイト充填剤に対する前記第２の液体による接触は、前記ハイドロキシアパタイト充填剤の２倍量以上の前記第２の液体を、前記ハイドロキシアパタイト充填剤を通過させた後に、前記第２の液体中に前記ハイドロキシアパタイト充填剤を静置する工程を含む上記（１）ないし（６）のいずれかに記載の処理方法。
これにより、吸着剤に対して処理液を安定的に接触させることができる。
【００１４】
（８）  前記第１ステップにおいて、前記所定の物質としてリン酸塩を含むリン酸緩衝液を前記第１の液体として、前記ハイドロキシアパタイト充填剤に接触させる注入工程と、
前記所定の物質としてリン酸塩と、リン酸塩とは異なる他の塩とを含むリン酸緩衝液を前記第１の液体として、前記ハイドロキシアパタイト充填剤に接触させる回収工程と、
前記所定の物質としてリン酸塩を含むリン酸緩衝液を前記第１の液体として、前記ハイドロキシアパタイト充填剤に接触させる洗浄工程と、
前記所定の物質としてアルカリを含むアルカリ溶液を前記第１の液体として、前記ハイドロキシアパタイト充填剤に接触させるアルカリ洗浄工程と、
前記所定の物質としてリン酸塩を含むリン酸緩衝液を前記第１の液体として、前記ハイドロキシアパタイト充填剤に接触させるｐＨ平衡工程と、を有する上記（１）ないし（７）のいずれかに記載の処理方法。
かかる工程を適用することで、所定の物質を含む第１の液体が接触した、ハイドロキシアパタイト充填剤を用意することができる。
【００１５】
（９）  さらに、前記洗浄工程に先立って、カルシウムイオンを含む前記第１の液体を、前記ハイドロキシアパタイト充填剤に接触させるＣａ補填工程を有する上記（１）ないし（８）のいずれかに記載の処理方法。
かかる工程を適用することで、所定の物質を含む第１の液体が接触した、ハイドロキシアパタイト充填剤を用意することができる。
【００１６】
（１０）  上記（１）ないし（９）のいずれかに記載の処理方法によって前記ハイドロキシアパタイト充填剤を処理する処理工程と、
目的物質を含む液体組成物を準備する組成物準備工程と、
前記処理工程で処理された前記ハイドロキシアパタイト充填剤を用いて、前記液体組成物から前記目的物質を分離して得る分離工程と、を有することを特徴とする生産方法。
本発明の生産方法を適用することで、目的物質を優れた精度で精製することができる。
【００１７】
（１１）  目的物質を含む液体組成物から該目的物質を分離する分離工程においてすでに一度以上使用された前記ハイドロキシアパタイト充填剤を準備する充填剤準備工程と、
上記（１）ないし（９）のいずれかに記載の処理方法によって、前記ハイドロキシアパタイト充填剤を処理することにより、耐久性を向上させた前記ハイドロキシアパタイト充填剤を得る再生産工程とを有することを特徴とする生産方法。
本発明の生産方法を適用することで、耐久性を向上させたハイドロキシアパタイト充填剤を得ることができる。
【００１８】
（１２）  上記（１１）に記載の生産方法によって得られるハイドロキシアパタイト充填剤。
これにより、ハイドロキシアパタイト充填剤を、耐久性を向上させたものとすることができる。
【発明の効果】
【００１９】
本発明の処理方法によれば、ハイドロキシアパタイト充填剤に優れた耐久性を付与することができる。そのため、ハイドロキシアパタイト充填剤で構成される吸着剤を用いた、試料液中に含まれる帯電物質の分離に適用した際には、この分離を、複数回に亘って安定的に実施することができる。
【図面の簡単な説明】
【００２０】
【図１】本発明の処理方法および生産方法を適用し得る吸着剤を備える吸着装置の一例を示す縦断面図である。
【図２】本発明の処理方法が適用された、ハイドロキシアパタイト充填剤の処理方法を示すフローチャートである。
【発明を実施するための形態】
【００２１】
以下、本発明の処理方法、生産方法およびハイドロキシアパタイト充填剤を添付図面に示す好適実施形態に基づいて詳細に説明する。
【００２２】
まず、本発明の処理方法について説明するのに先立って、本発明の処理方法および生産方法を適用し得る吸着剤（本発明のハイドロキシアパタイト充填剤）を備える吸着装置の一例について説明する。
【００２３】
なお、以下では、吸着装置を用いて分離する帯電物質（単離物）がタンパク質である場合、すなわち、帯電物質を構成する負帯電物質および正帯電物質のうち、負帯電物質が酸性タンパク質であり、正帯電物質が塩基性タンパク質である場合を一例として説明する。
【００２４】
＜吸着装置＞
図１は、本発明の処理方法および生産方法を適用し得る吸着剤を備える吸着装置の一例を示す縦断面図である。なお、以下の説明では、図１中の上側を「流入側」、下側を「流出側」と言う。
【００２５】
ここで、流入側とは、目的とするタンパク質すなわち単離物を分離（精製）する際に、例えば、試料液（試料を含む液体）、溶出液であるリン酸系緩衝液等の液体を、吸着装置内に供給する側のことを言い、一方、流出側とは、前記流入側と反対側、すなわち、前記液体が吸着装置内から流出する側のことを言う。
【００２６】
タンパク質を試料液から分離（精製）するために用いられる、図１に示す吸着装置１は、カラム２と、粒状の吸着剤（充填剤）３と、２枚のフィルタ部材４、５とを有している。
【００２７】
カラム２は、カラム本体２１と、このカラム本体２１の流入側端部および流出側端部に、それぞれ装着されるキャップ（蓋体）２２、２３とで構成されている。
【００２８】
カラム本体２１は、例えば円筒状の部材で構成されている。カラム本体２１を含めカラム２を構成する各部（各部材）の構成材料としては、例えば、各種ガラス材料、各種樹脂材料、各種金属材料、各種セラミックス材料等が挙げられる。
【００２９】
カラム本体２１には、その流入側開口および流出側開口を、それぞれ塞ぐようにフィルタ部材４、５を配置した状態で、その流入側端部および流出側端部に、それぞれキャップ２２、２３が螺合により装着される。
【００３０】
このような構成のカラム２では、カラム本体２１と各フィルタ部材４、５とにより、吸着剤充填空間２０が画成されている。そして、この吸着剤充填空間２０の少なくとも一部に（本実施形態では、ほぼ満量で）、吸着剤３が充填されている。
【００３１】
吸着剤充填空間２０の容積は、試料液の容量に応じて適宜設定され、特に限定されないが、試料液１ｍＬに対して、０．１ｍＬ以上１００ｍＬ以下程度が好ましく、１ｍＬ以上５０ｍＬ以下程度がより好ましい。
【００３２】
また、カラム本体２１に各キャップ２２、２３を装着した状態で、これらの間の液密性が確保されるように構成されている。
【００３３】
各キャップ２２、２３のほぼ中央には、それぞれ、流入管２４および流出管２５が液密に固着（固定）されている。この流入管２４およびフィルタ部材４を介して吸着剤３に、前記液体が供給される。また、吸着剤３に供給された液体は、吸着剤３同士の間（間隙）を通過して、フィルタ部材５および流出管２５を介して、カラム２外へ流出する。このとき、試料液（試料）に含まれる分離すべきタンパク質（以下、単に「タンパク質」と言うこともある）と、分離すべきタンパク質以外の物質（分離すべきタンパク質以外の夾雑タンパク質（以下、単に「夾雑タンパク質」と言うこともある）が含まれていてもよい）とは、吸着剤３に対する吸着性の差異およびリン酸系緩衝液のような緩衝液等に対する親和性の差異に基づいて分離される。
【００３４】
各フィルタ部材４、５は、それぞれ、吸着剤充填空間２０から吸着剤３が流出するのを防止する機能を有するものである。これらのフィルタ部材４、５は、それぞれ、例えば、ポリウレタン、ポリビニルアルコール、ポリプロピレン、ポリエーテルポリアミド、ポリエチレンテレフタレート、ポリブチレンテレフタレート等の合成樹脂からなる不織布、発泡体（連通孔を有するスポンジ状多孔質体）、織布、メッシュ等で構成されている。
【００３５】
吸着剤３は、ハイドロキシアパタイト充填剤で構成され、具体的には、例えば、ハイドロキシアパタイト（Ｃａ１０（ＰＯ４）６（ＯＨ）２）の二次粒子を含む粉体で構成されている。かかる吸着剤３には、分離すべきタンパク質が、このタンパク質固有の吸着（担持）力で特異的に吸着し、この吸着力の差に応じて、分離すべきタンパク質以外の他の物質（夾雑タンパク質を含む）と分離・精製される。
【００３６】
ここで、タンパク質は、一般的に、その構成アミノ酸として酸性アミノ酸を比較的多く含み負に帯電する酸性タンパク質と、塩基性アミノ酸を比較的多く含み正に帯電する塩基性タンパク質とに分類される。
【００３７】
一方、ハイドロキシアパタイトは、その結晶構造中に、正に帯電するＣａサイトと、負に帯電するリン酸サイトとを形成している。
【００３８】
したがって、タンパク質のうち酸性タンパク質は、ハイドロキシアパタイトが有するＣａサイトと、酸性アミノ酸との間でイオン結合を形成し、塩基性タンパク質は、ハイドロキシアパタイトが有するリン酸サイトと、塩基性アミノ酸との間でイオン結合を形成することとなる。また、タンパク質のハイドロキシアパタイトに対する結合の強度は、各タンパク質（酸性タンパク質および塩基性タンパク質）の帯電量に応じて、タンパク質毎に応じて異なる大きさ（吸着力）となっている。
【００３９】
このため、ハイドロキシアパタイト充填剤で構成される吸着剤３を用いれば、タンパク質（酸性タンパク質および塩基性タンパク質）と、他の物質（例えば、夾雑タンパク質等）とを、これらの吸着剤３に対する吸着力の差を利用して分離することが可能となる。
【００４０】
また、ハイドロキシアパタイトは、リン酸カルシウム系化合物の中でも、特に、生体を構成する成分に近いため、タンパク質を吸着・分離する際に、かかるタンパク質が変質（変性）するのを好適に防止することができる。また、溶出液として、例えば、リン酸系緩衝液の塩濃度を変えて用いることで、タンパク質を、吸着剤３から特異的に取り外すことができるという利点も有する。
【００４１】
さらに、ハイドロキシアパタイトは、それが有する水酸基の少なくとも一部がフッ素原子で置換されたものであってもよい。フッ素原子で置換されたハイドロキシアパタイト（以下、「フッ素アパタイト」と言う）は、その結晶構造中にフッ素原子（フッ素イオン）が存在することにより、カルシウム原子（カルシウムイオン）のフッ素アパタイトからの離脱をより確実に防止することができる。
【００４２】
なお、以下では、ハイドロキシアパタイトおよびフッ素原子で置換されているフルオロアパタイトを、総称して「アパタイト」と言うこともある。
【００４３】
また、吸着剤３は、前述の通り、ハイドロキシアパタイト充填剤で構成されるが、その形態（形状）は、図１に示すように、粒状（顆粒状）のものであるのが好ましいが、その他、例えばペレット状（小塊状）、ブロック状（例えば、隣接する空孔同士が互いに連通する多孔質体、ハニカム形状）等とすることもできる。なお、吸着剤３を粒状とすることにより、その表面積を増大させることができ、タンパク質の分離特性の向上を図ることができる。
【００４４】
粒状の吸着剤３の平均粒径は、特に限定されないが、０．５μｍ以上１５０μｍ以下程度であるのが好ましく、１０μｍ以上８０μｍ以下程度であるのがより好ましい。このような平均粒径の吸着剤３を用いることにより、前記フィルタ部材５の目詰まりを確実に防止しつつ、吸着剤３の表面積を十分に確保することができる。
【００４５】
なお、吸着剤３すなわちハイドロキシアパタイト充填剤は、その全体がアパタイトの二次粒子で構成されたものであってもよく、担体（基体）の表面をアパタイトの二位粒子で被覆したものであってもよいが、その全体がアパタイトの二次粒子で構成されたものであるのが好ましい。これにより、吸着剤３の強度をさらに向上することができ、多量のタンパク質を分離する際の使用に適したカラム２を得ることができる。
【００４６】
また、その全体がアパタイトの二次粒子で構成された吸着剤３は、例えば、湿式合成法や乾式合成法を用いて、アパタイト粒子（一次粒子）を得、かかるアパタイト粒子を含有するスラリーを、乾燥や造粒することにより、乾燥粒子すなわち二次粒子を得、さらに、この乾燥粒子を焼成する等して得ることができる。
【００４７】
一方、担体の表面をアパタイトで被覆した吸着剤３は、例えば、樹脂等で構成される担体に、前記乾燥粒子を衝突（ハイブリダイズ）させる方法等により得ることができる。
【００４８】
また、本実施形態のように、吸着剤３を吸着剤充填空間２０にほぼ満量充填する場合には、吸着剤３は、吸着剤充填空間２０の各部において、ほぼ同一の組成をなしているのが好ましい。これにより、吸着装置１は、タンパク質の分離（精製）能が特に優れたものとなる。
【００４９】
さらに、吸着剤充填空間２０の一部（例えば流入管２４側の一部）に吸着剤３を充填し、その他の部分には他の吸着剤を充填するようにしてもよい。
【００５０】
＜分離方法＞
次に、このような吸着装置１、すなわち、吸着剤３として、アパタイトの二次粒子を含む粉体で構成されたものを用いてタンパク質を分離する、タンパク質の分離方法について説明する。
【００５１】
［Ｓ１Ａ］  調製工程（組成物準備工程）
まず、分離（精製）すべきタンパク質（目的物質）と、分離すべきタンパク質以外の物質（混合物）とを含有する試料液（液体組成物）を用意する。
【００５２】
タンパク質が遺伝子組み換えタンパク質（モノクローナル抗体等）である場合、試料液としては、タンパク質をコードする遺伝子を含む核酸を導入したヒツジ、ウサギ、ニワトリ等の哺乳動物、カイコ等の昆虫のような動物、チャイニーズハムスター卵巣細胞由来のＣＨＯ細胞のような動物細胞、大腸菌のような微生物等からの分泌物や、それらの細胞質成分等が挙げられる。
【００５３】
また、タンパク質が天然のタンパク質である場合、試料液としては、例えば、各種動物由来の血液（血漿）、リンパ液、唾液、鼻汁のような体液等が挙げられる。
【００５４】
さらに、タンパク質のうち酸性タンパク質としては、特に限定されないが、例えば、ＢＳＡ、ＨＳＡ、フィブリノゲン、ペプシノーゲン、α−グロブリン、β−グロブリンおよびγ−グロブリン等が挙げられる。また、塩基性タンパク質としては、特に限定されないが、例えば、リゾチーム、ソーマチン、チトクロムＣ、リボヌクレアーゼ、トリプシノーゲン、キモトリプシノーゲン、α−キモトリプシン、ヒストン、プロタミン、ポリリジンおよびモネリン等が挙げられる。
【００５５】
なお、これらのタンパク質（酸性タンパク質および塩基性タンパク質）は、そのアミノ酸配列の一部のアミノ酸が他のアミノ酸に置き換えられた改変体であっても良い。
【００５６】
また、試料液としては、前記微生物等からの分泌物や、動物由来の体液をそのまま用いてもよいが、これらを水や生理食塩水のような中性緩衝液や、リン酸系緩衝液中で希釈したもの、およびフィルタ等の濾過膜で濾過したものを用いることが好ましい。また、試料液には、複数種のタンパク質が含まれていてもよい。
【００５７】
さらに、リン酸系緩衝液としては、後述する分画工程［Ｓ４Ａ］で説明するものと、同様のものを用いることができる。
【００５８】
また、試料液として、リン酸系緩衝液で希釈したものを用いる場合、試料液中における塩濃度は、０．５ｍＭ以上３０ｍＭ以下程度であるのが好ましく、１ｍＭ以上２０ｍＭ以下程度であるのがより好ましい。
【００５９】
［Ｓ２Ａ］  置換工程  
次に、流入管２４からカラム２内に、緩衝液を供給する。これにより、カラム２内をこの緩衝液に置換する。
【００６０】
緩衝液としては、リン酸系緩衝液が好ましく用いられる。このリン酸系緩衝液としては、下記工程［Ｓ４Ａ］で説明する、溶出液として用いられるものと、同様のものを用いることができる。
【００６１】
また、緩衝液としてリン酸系緩衝液を用いる場合、リン酸系緩衝液のリン酸塩濃度は、０．５ｍＭ以上５００ｍＭ以下程度であるのが好ましく、１ｍＭ以上２００ｍＭ以下程度であるのがより好ましい。このような塩濃度のリン酸系緩衝液を緩衝液として用いて、カラム２内をこの緩衝液で置換することにより、吸着剤３を、次回のタンパク質の分離に供するのに、より適したものとすることができる。
【００６２】
なお、この置換工程［Ｓ２Ａ］は、タンパク質の分離方法で分離するタンパク質の種類等によっては省略することもできる。
【００６３】
［Ｓ３Ａ］  注入工程
次に、前記工程［Ｓ１Ａ］で得られた試料液を、流入管２４およびフィルタ部材４を介してカラム本体２１内に注入することで、カラム２（吸着装置１）内を通過させて、吸着剤３に接触させる。
【００６４】
これにより、吸着剤３に対して吸着能が高いタンパク質や、分離（精製）すべきタンパク質以外の混入物（夾雑タンパク質等）の中でも吸着剤３に対して比較的吸着能の高いもの（タンパク質）は、カラム２内に保持される。そして、吸着剤３に対して吸着能の低い混入物は、フィルタ部材５および流出管２５を介してカラム２内から流出する。
【００６５】
［Ｓ４Ａ］  分画工程（回収工程、分離工程）
次に、流入管２４からカラム２内に、タンパク質を溶出させるための溶出液として例えばリン酸系緩衝液を供給する。そして、カラム２内から流出管２５を介して流出する流出液を、所定量ずつ分画（採取）する。これにより、吸着剤３に吸着しているタンパク質および混入物は、それぞれが有する吸着剤３に対する吸着力の差に応じて、それぞれ、各分画内に溶解した状態で回収（分離・精製）される。すなわち、吸着剤３を用いて、試料液（液体組成物）から目的物質としてのタンパク質が分離されることにより得られることとなる。
【００６６】
すなわち、吸着剤３には、タンパク質および混入物が、それぞれに固有の吸着（担持）力で特異的に吸着しているため、この吸着力の差に応じて、タンパク質と混入物とが分離、精製され、分離（精製）すべきタンパク質が溶解している分画を選択的に回収することで、このタンパク質が精製される。
【００６７】
溶出液として用いられる緩衝液は、リン酸系緩衝液が好ましく用いられる。このリン酸系緩衝液としては、例えば、リン酸ナトリウム、リン酸カリウム、リン酸リチウムおよびリン酸アンモニウム等のリン酸塩を含む水溶液が挙げられる。また、緩衝液は、リン酸系緩衝液の他、ＭＥＳ（２−モルホリノエタンスルホン酸）緩衝液や硫酸であってもよい。
【００６８】
また、リン酸系緩衝液を用いる場合、このリン酸系緩衝液には、さらに、リン酸塩とは異なる他の塩が含まれていてもよい。このような塩としては、例えば、ＮａＣｌ、ＫＣｌ、ＮＨ４Ｃｌ、ＭｇＣｌ２等が挙げられる。
【００６９】
さらに、リン酸系緩衝液における他の塩の塩濃度は、０．１Ｍ以上１．５Ｍ以下であるのが好ましく、０．５Ｍ以上１．０Ｍ以下であるのがより好ましい。かかる塩濃度で含有する他の塩を含むリン酸系緩衝液を用いることで、目的とする画分における、タンパク質の分離を優れた精度で行うことができる。
【００７０】
また、リン酸系緩衝液を用いる場合、そのｐＨは、特に限定されないが、好ましくは５．５〜８．５程度、より好ましくは６．０〜８．０程度に設定される。これにより、タンパク質を確実に溶出させることができ、その精製率の向上を図ることができる。
【００７１】
このリン酸系緩衝液の温度も、特に限定されないが、４〜５０℃程度であるのが好ましく、１０〜３５℃程度であるのがより好ましい。これにより、分離するタンパク質の変質（変性）を防止することができる。
【００７２】
したがって、かかるｐＨ範囲および温度範囲のリン酸系緩衝液を用いることにより、目的とするタンパク質の回収率の向上を図ることができる。
【００７３】
また、リン酸系緩衝液のリン酸塩濃度は、０．５ｍＭ以上４００ｍＭ以下程度であるのが好ましく、１ｍＭ以上３００ｍＭ以下程度であるのがより好ましい。このような塩濃度のリン酸系緩衝液を用いて、タンパク質の分離を行うことにより、リン酸系緩衝液中の金属イオンによるタンパク質への悪影響を防止することができる。
【００７４】
具体的には、リン酸塩濃度が１ｍＭ以上４００ｍＭ以下程度で、かつ、他の塩の塩濃度が０．１Ｍ以上１．５Ｍ以下程度であるリン酸系緩衝液が好ましく用いられる。また、リン酸系緩衝液のリン酸塩濃度は、タンパク質の分離操作の際に、連続的または段階的に変化させるのが好ましい。これにより、タンパク質の分離操作の効率化を図ることができる。
【００７５】
さらに、リン酸系緩衝液の流速は、０．１ｍＬ／分以上１０ｍＬ／分以下程度であるのが好ましく、０．２ｍＬ／分以上５ｍＬ／分以下程度であるのがより好ましい。このような流速で、タンパク質の分離を行うことにより、分離操作に長時間を要することなく、目的とするタンパク質を確実に分離すること、すなわち、高純度なタンパク質を得ることができる。
【００７６】
以上のような操作により、所定の画分に、タンパク質が回収され、これにより、分離すべきタンパク質（単離物）が、所定の画分において精製される。
【００７７】
また、前述のような、吸着装置１を用いたタンパク質の分離を繰り返して実施する際には、以下に示す工程［Ｓ５Ａ］〜［Ｓ７Ａ］を実施して、吸着剤３を洗浄・平衡化することで、吸着装置１は、再度、前記工程［Ｓ１Ａ］〜［Ｓ４Ａ］による、タンパク質の分離に供される。以下、吸着剤３を洗浄・平衡化する工程［Ｓ５Ａ］〜［Ｓ７Ａ］について説明する。
【００７８】
［Ｓ５Ａ］  洗浄工程
次に、流入管２４からカラム２内に、吸着剤３に残存（吸着）しているタンパク質や、夾雑タンパク質等を溶出させることで、吸着剤３を洗浄する洗浄液（第１洗浄液）として例えば緩衝液を供給する。
【００７９】
すなわち、吸着剤３には、前記工程［Ｓ４Ａ］で溶出することなく、吸着しているタンパク質や、夾雑タンパク質等が残存している。そのため、本工程［Ｓ５Ａ］において、洗浄液を供給することで、これらを洗浄液中に溶出させることで、吸着剤３を洗浄する。
【００８０】
洗浄液として用いられる緩衝液は、リン酸系緩衝液が好ましく用いられる。このリン酸系緩衝液としては、前記工程［Ｓ４Ａ］で説明した、溶出液として用いられるものと、同様のものを用いることができる。
【００８１】
また、洗浄液としてリン酸系緩衝液を用いる場合、リン酸系緩衝液のリン酸塩濃度は、２００ｍＭ以上７００ｍＭ以下程度であるのが好ましく、３００ｍＭ以上５００ｍＭ以下程度であるのがより好ましい。このような塩濃度のリン酸系緩衝液を洗浄液として用いることにより、吸着剤３に残存物として吸着している、タンパク質や、夾雑タンパク質等を洗浄液中に確実に溶出させることができる。
【００８２】
［Ｓ６Ａ］  アルカリ洗浄工程
次に、流入管２４からカラム２内に、前記工程［Ｓ５Ａ］を施すことによっても、溶出することなく、吸着剤３に残存しているタンパク質や、夾雑タンパク質等を溶出させることで、吸着剤３をさらに洗浄する洗浄液（第２洗浄液）として例えばアルカリ溶液を供給する。
【００８３】
すなわち、前記工程［Ｓ５Ａ］における緩衝液による洗浄によっても、溶出することなく、吸着剤３に残存（吸着）しているタンパク質や、夾雑タンパク質等を、本工程［Ｓ６Ａ］において、洗浄液（第２洗浄液）を供給することで、これらを洗浄液中に溶出させることで、吸着剤３を洗浄する。
【００８４】
洗浄液として用いられるアルカリ溶液としては、特に限定されないが、例えば、水酸化ナトリウム、炭酸ナトリウム、水酸化カリウム、炭酸カリウム、アンモニアのようなアルカリを含む水溶液等が挙げられる。
【００８５】
また、アルカリ溶液のアルカリ濃度は、０．１Ｍ以上１．５Ｍ以下程度であるのが好ましく、０．５Ｍ以上１．０Ｍ以下程度であるのがより好ましい。このようなアルカリ濃度のアルカリ溶液を洗浄液として用いることにより、吸着剤３に残存物として吸着している、タンパク質や、夾雑タンパク質等を洗浄液中により確実に溶出させることができる。
【００８６】
［Ｓ７Ａ］  ｐＨ平衡工程
次に、流入管２４からカラム２内に、洗浄がなされた吸着剤３のｐＨを平衡化する平衡液として例えば緩衝液を供給する。
【００８７】
すなわち、吸着剤３は、前記工程［Ｓ６Ａ］におけるアルカリ溶液による洗浄によって、ｐＨがアルカリ性を示すことから、本工程［Ｓ７Ａ］において、平衡液を供給することで、吸着剤３のｐＨの平衡化を図り、吸着剤３のｐＨが中性近傍を示すものとする。
【００８８】
平衡液として用いられる緩衝液は、リン酸系緩衝液が好ましく用いられる。このリン酸系緩衝液としては、前記工程［Ｓ４Ａ］で説明した、溶出液として用いられるものと、同様のものを用いることができる。
【００８９】
また、平衡液としてリン酸系緩衝液を用いる場合、リン酸系緩衝液のリン酸塩濃度は、２００ｍＭ以上７００ｍＭ以下程度であるのが好ましく、３００ｍＭ以上５００ｍＭ以下程度であるのがより好ましい。このような塩濃度のリン酸系緩衝液を平衡液として用いることにより、吸着剤３のｐＨの平衡化を図り、吸着剤３のｐＨを、確実に中性近傍を示すものとし得る。
【００９０】
以上のような工程［Ｓ５Ａ］〜［Ｓ７Ａ］を実施することで、吸着剤３の洗浄・平衡化がなされ、吸着装置１を、再度、タンパク質の分離に供することができる。
【００９１】
なお、後述する処理方法を適用する場合、吸着剤３を洗浄・平衡化する前記工程［Ｓ５Ａ］〜［Ｓ７Ａ］のうち、前記工程［Ｓ６Ａ］および前記工程［Ｓ７Ａ］、または前記工程［Ｓ７Ａ］について省略することもできる。
【００９２】
また、前記工程［Ｓ５Ａ］に先立って、流入管２４からカラム２内に、吸着剤３が備えるカルシウムサイトにカルシウムを補填するために、カルシウム溶液を供給するＣａ補填工程を施すようにしてもよい。以下、このＣａ補填工程［Ｓ８Ａ］について説明する。
【００９３】
［Ｓ８Ａ］  Ｃａ補填工程
前記工程［Ｓ５Ａ］に先立って、流入管２４からカラム２内に、吸着剤３が備えるカルシウムサイトにカルシウムを補填するために、カルシウム溶液として例えばカルシウム含有緩衝液を供給する。
【００９４】
すなわち、吸着剤３では、前記工程［Ｓ１Ａ］〜［Ｓ４Ａ］によるタンパク質の精製を経ることで、吸着剤３すなわちアパタイトの二次粒子が備えるカルシウムサイトの一部からカルシウムが離脱していることがある。そのため、本工程［Ｓ８Ａ］において、カルシウム含有緩衝液を供給して、カルシウム含有緩衝液に含まれるカルシウムを、カルシウムが離脱したカルシウムサイトに接触させることで補填する。
【００９５】
カルシウム含有緩衝液として用いられる緩衝液は、特に限定されないが、前記工程［Ｓ４Ａ］で説明した、溶出液として用いられるものと、同様のものを用いることができるが、中でも、ＭＥＳが好ましく用いられる。
【００９６】
さらに、カルシウム含有緩衝液に含まれるカルシウムは、前記緩衝液中に、カルシムの塩基およびカルシウムの塩のうちの一方、または双方の何れかを添加することで得られたものであることが好ましい。カルシウムの塩基および塩としては、例えば、水酸化カルシウム、炭酸カルシウム、塩化カルシウム、硝酸カルシウム、酢酸カルシウム、乳酸カルシウムや、これらの水和物等がそれぞれ挙げられる。
【００９７】
カルシウム含有緩衝液におけるカルシウムの含有量は、１ｍＭ以上１００ｍＭ以下程度であるのが好ましく、５ｍＭ以上７０ｍＭ以下程度であるのがより好ましい。
【００９８】
以上のようなカルシウム含有緩衝液を用いることにより、カルシウム含有緩衝液に含まれるカルシウムを、カルシウムが離脱したカルシウムサイトに確実に補填することができる。
【００９９】
＜処理方法＞
ここで、この吸着装置１を用いたタンパク質の分離方法では、前記工程［Ｓ１Ａ］〜［Ｓ８Ａ］を繰り返して実施することで、タンパク質の分離が繰り返して実施される。
【０１００】
しかしながら、吸着装置１を用いたタンパク質の分離を繰り返して実施すると、前述したとおり、カラム本体２１内に充填された吸着剤３のうち、特に、流出側開口付近に位置する吸着剤３において、カラム本体２１内に試料液等の液体を供給する際に、大きな圧力が掛かることとなる。そして、これに起因して、粒子状をなす吸着剤３すなわち粉体が、砂状をなすものとなってしまう。その結果、カラム本体２１内に前記液体を供給するときの圧力が、繰り返して実施する回数を重ねる毎に大きくなり、最終的には、カラム本体２１内に前記液体を供給すなわち流入させることができなくなると言う問題があった。
【０１０１】
本発明の処理方法は、以上のような、タンパク質の分離を繰り返して実施された吸着剤３すなわちアパタイトの二次粒子を含む粉体を用意し、その後、この吸着剤３に対して、アルコールを含む処理液を接触させるか、もしくはＮａＯＨを含む処理液を１２時間以上接触させる。このような処理液による接触を、吸着剤３に対して施すことで、この後に、吸着装置１を用いたタンパク質の分離を再度実施し、カラム本体２１内に試料液等の液体を供給したときに、流出側開口付近に位置する吸着剤３において、大きな圧力が掛かったとしても、粒子状をなす吸着剤３すなわち粉体が、砂状をなすものとなるのを的確に抑制または防止することができる。したがって、カラム本体２１内に前記液体を供給するときの圧力が、繰り返して実施する毎に大きくなること、ひいては、カラム本体２１内に前記液体を供給すなわち流入させることができなくなるのを、的確に抑制または防止することができる。
【０１０２】
なお、本発明の処理方法を適用して、前記処理液を、カラム本体２１内に供給する際にも、カラム本体２１内に充填された吸着剤３、特に、流出側開口付近に位置する吸着剤３に圧力が掛かることとなるが、処理液として、アルコールを含む処理液、もしくはＮａＯＨを含む処理液を用いることで、粒子状をなす吸着剤３すなわち粉体が、砂状をなすものとなるのを的確に抑制または防止することができる。
【０１０３】
図２は、本発明の処理方法が適用された、ハイドロキシアパタイト充填剤の処理方法を示すフローチャートである。
【０１０４】
本発明の処理方法は、タンパク質の分離を繰り返して実施するために用いられる、吸着剤３すなわちアパタイトの二次粒子を含む粉体に適用される方法であり、タンパク質の分離が実施された吸着剤３すなわちアパタイトの二次粒子を含む粉体（以下、この粉体を「実施済粉体」と言うこともある。）を用意する工程［Ｓ１Ｂ］と、吸着剤３すなわちアパタイトの二次粒子を含む粉体（実施済粉体）に、アルコールもしくはＮａＯＨを含む処理液を接触させる工程［Ｓ２Ｂ］とを有する。
【０１０５】
以下、これらの工程について、順次説明する。
［Ｓ１Ｂ］  用意工程
まず、タンパク質の分離が実施された吸着剤３すなわち実施済粉体を用意する。
【０１０６】
本実施形態では、前述した吸着装置１を用いたタンパク質の分離方法、すなわち、前記工程［Ｓ１Ａ］〜［Ｓ８Ａ］を適用することで、実施済粉体が用意される。
【０１０７】
換言すれば、前述したタンパク質の分離方法、すなわち、前記工程［Ｓ１Ａ］〜［Ｓ８Ａ］により、ハイドロキシアパタイト充填剤に、所定の物質を含む第１の液体を接触させる第１ステップが構成される。
【０１０８】
または、前述したタンパク質の分離方法、すなわち、前記工程［Ｓ１Ａ］〜［Ｓ８Ａ］により、目的物質を含む液体組成物からこの目的物質を分離する分離工程において、すでに一度以上使用されたハイドロキシアパタイト充填剤を準備する充填剤準備工程が構成される。
【０１０９】
また、第１ステップを構成する、前記工程［Ｓ１Ａ］〜［Ｓ８Ａ］における、前記工程［Ｓ３Ａ］すなわち注入工程では、所定の物質としてリン酸塩を含むリン酸緩衝液が第１の液体として実施済粉体に接触され、また、前記工程［Ｓ４Ａ］すなわち分画工程（回収工程）では、所定の物質としてリン酸塩とリン酸塩とは異なる他の塩とを含むリン酸緩衝液が第１の液体として実施済粉体に接触され、前記工程［Ｓ５Ａ］すなわち洗浄工程では、所定の物質としてリン酸塩を含むリン酸緩衝液が第１の液体として実施済粉体に接触され、前記工程［Ｓ６Ａ］すなわちアルカリ洗浄工程では、所定の物質としてアルカリを含むアルカリ溶液が第１の液体として実施済粉体に接触され、前記工程［Ｓ７Ａ］すなわちｐＨ平衡工程では、所定の物質としてリン酸塩を含むリン酸緩衝液が第１の液体として実施済粉体に接触され、さらに、前記工程［Ｓ８Ａ］すなわちＣａ補填工程では、所定の物質としてカルシウムイオンを含むカルシウム含有緩衝液が第１の液体として実施済粉体に接触される。
【０１１０】
［Ｓ２Ｂ］  処理工程
次に、吸着剤３すなわち実施済粉体に、アルコールもしくはＮａＯＨを含む処理液を接触させる。
【０１１１】
この処理工程では、前記の通り処理液として、アルコールを含むものを用いる場合と、ＮａＯＨを含むものを用いる場合とがある。
【０１１２】
そこで、以下では、処理液として、アルコールを含むものを用いる場合と、ＮａＯＨを含むものを用いる場合とについて、それぞれ、個別に説明する。
【０１１３】
［Ｓ２Ｂ−１］  アルコールを含む処理液を用いる場合
処理液として、アルコールを含むものを用いる場合、吸着剤３すなわち実施済粉体に、アルコールを含む処理液（第２の液体）を接触させる（第２ステップ）。
【０１１４】
このように、実施済粉体に対して、アルコールを含む処理液を接触させることで、この後に、吸着装置１を用いたタンパク質の分離、すなわち、前記工程［Ｓ１Ａ］〜［Ｓ８Ａ］を、再度、実施し、カラム本体２１内に試料液等の液体を供給したときに、流出側開口付近に位置する吸着剤３において、大きな圧力が掛かったとしても、粒子状をなす吸着剤３すなわち粉体が、砂状をなすものとなるのを的確に抑制または防止することができる。したがって、カラム本体２１内に前記液体を供給するときの圧力が、繰り返して実施する毎に大きくなること、ひいては、カラム本体２１内に前記液体を供給すなわち流入させることができなくなるのを、的確に抑制または防止することができる。換言すれば、実施済粉体に優れた耐久性を付与することができる。そのため、実施済粉体で構成される吸着剤３を用いた、試料液中に含まれるタンパク質の分離を、複数回に亘って安定的に実施することができる。
【０１１５】
処理液中に含まれるアルコールとしては、例えば、メタノール、エタノール、プロパノール、ブタノール、ペンタノールおよびヘキサノール等の低級アルコールが好ましく用いられ、これらの低級アルコールのうちの１種または２種以上を組み合せて用いることができるが、中でも、特に、エタノールが好ましい。
【０１１６】
また、処理液は、本実施形態では、アルコールを含む水溶液で構成されるが、この処理液中におけるアルコールの含有量は、２０ｗｔ％以上であることが好ましく、２０ｗｔ％以上３５ｗｔ％以下程度であることがより好ましい。
【０１１７】
さらに、処理液は、アルコールの他に、カルシウムイオンを含むことが好ましい。なお、カルシウムイオンを含む処理液は、例えば、アルコールを含む水溶液に、カルシウムの塩基および塩のうちの少なくとも１種を添加することにより得ることができる。
【０１１８】
カルシウムの塩基および塩としては、例えば、水酸化カルシウム、炭酸カルシウム、塩化カルシウム、硝酸カルシウム、酢酸カルシウム、乳酸カルシウムや、これらの水和物等がそれぞれ挙げられる。
【０１１９】
処理液におけるカルシウムイオンの濃度は、１．０ｍＭ以上２０．０ｍＭ以下程度であるのが好ましく、５．０ｍＭ以上１５．０ｍＭ以下程度であるのがより好ましい。
【０１２０】
以上のような処理液を用いることにより、タンパク質の分離が実施されたハイドロキシアパタイト充填剤に、タンパク質の分離を複数回に亘り連続して実施し得る、優れた耐久性を確実に付与することができる。
【０１２１】
さらに、処理液中に吸着剤３を静置する時間、すなわち吸着剤３に接触させる時間は、２４時間以上であるのが好ましく、４８時間以上であるのがさらに好ましい。また、３００日以下程度であることが好ましい。
【０１２２】
吸着剤３を前記処理液に接触させる時間を、前記範囲内に設定することにより、タンパク質の分離が実施された吸着剤３すなわちハイドロキシアパタイト充填剤に、タンパク質の分離を複数回に亘り連続して実施し得る、優れた耐久性を確実に付与することができる。
【０１２３】
［Ｓ２Ｂ−２］  ＮａＯＨを含む処理液を用いる場合
処理液として、ＮａＯＨを含むものを用いる場合、吸着剤３すなわち実施済粉体に、含有量が０．０５Ｍ以下のＮａＯＨを含む処理液（第２の液体）を１２時間以上接触させる（第２ステップ）。
【０１２４】
このように、実施済粉体に対して、含有量が０．０５Ｍ以下のＮａＯＨを含む処理液を１２時間以上接触させることによっても、この後に、吸着装置１を用いたタンパク質の分離、すなわち、前記工程［Ｓ１Ａ］〜［Ｓ８Ａ］を再度実施し、カラム本体２１内に試料液等の液体を供給したときに、流出側開口付近に位置する吸着剤３において、大きな圧力が掛かったとしても、粒子状をなす吸着剤３すなわち粉体が、砂状をなすものとなるのを的確に抑制または防止することができる。したがって、カラム本体２１内に前記液体を供給するときの圧力が、繰り返して実施する毎に大きくなること、ひいては、カラム本体２１内に前記液体を供給すなわち流入させることができなくなるのを、的確に抑制または防止することができる。換言すれば、実施済粉体に優れた耐久性を付与することができる。そのため、実施済粉体で構成される吸着剤３を用いた、試料液中に含まれるタンパク質の分離を、複数回に亘って安定的に実施することができる。
【０１２５】
また、処理液は、本実施形態では、ＮａＯＨを含む水溶液で構成されるが、この処理液中におけるＮａＯＨの含有量は、０．０５Ｍ以下であればよいが、特に、０．０Ｍ以上０．０１Ｍ以下程度であることが好ましい。
【０１２６】
このように、ＮａＯＨの含有量が低濃度に設定された処理液を用いることにより、タンパク質の分離が実施されたハイドロキシアパタイト充填剤に、タンパク質の分離を複数回に亘り連続して実施し得る、優れた耐久性を確実に付与することができる。
【０１２７】
さらに、処理液中に吸着剤３を静置する時間、すなわち吸着剤３に接触させる時間は、１２時間以上であればよいが、４８時間以上３０日以下程度であることが好ましく、５日以上１０日以下程度であることがより好ましい。
【０１２８】
吸着剤３を前記処理液に接触させる時間を、前記範囲内に設定することにより、タンパク質の分離が実施された吸着剤３すなわちハイドロキシアパタイト充填剤に、タンパク質の分離を複数回に亘り連続して実施し得る、優れた耐久性を確実に付与することができる。
【０１２９】
なお、前記工程［Ｓ２Ｂ−１］と、前記工程［Ｓ２Ｂ−２］とは、組み合わせて実施することも可能であり、前記工程［Ｓ２Ｂ−１］の後に、前記工程［Ｓ２Ｂ−２］を実施するようにすることもできる。
【０１３０】
アルコールもしくはＮａＯＨを含む処理液を、吸着剤３に接触させる方法、すなわち、前記工程［Ｓ２Ｂ−１］または［Ｓ２Ｂ−２］を実施する方法としては、特に限定されないが、例えば、カラム本体２１内に充填された吸着剤３すなわち実施済粉体の２倍量以上の処理液を、吸着剤３を通過させた後に、この処理液中に吸着剤３を静置する工程を含むことが好ましい。これにより、吸着剤３に対して処理液を安定的に接触させることができる。
【０１３１】
より具体的には、カラム２のカラム本体２１内において、充填されている吸着剤３に対して、流入管２４からカラム本体２１内に、吸着剤３の２倍量以上の処理液を供給する。そして、流出管２５から、前記工程［６Ａ］を施すことでカラム本体２１内に残存している平衡液が流出し、カラム２内の全体が、平衡液から処理液に置換された時点で、流入管２４からの処理液の供給を停止する。このようにカラム２内への処理液の供給が停止されることで、処理液中に吸着剤３が静置される。
【０１３２】
なお、前記処理液を、カラム本体２１内に供給する際にも、カラム本体２１内に充填された吸着剤３、特に、流出側開口付近に位置する吸着剤３に圧力が掛かることとなるが、処理液として、前記工程［Ｓ２Ｂ−１］または［Ｓ２Ｂ−２］のように、アルコールを含む処理液、もしくはＮａＯＨを含む処理液を用いることで、粒子状をなす吸着剤３すなわち粉体が、砂状をなすものとなるのを的確に抑制または防止することができる。
【０１３３】
なお、本明細書中において、処理液中における吸着剤３の静置とは、吸着剤３を処理液中に浸漬した状態で、流入管２４からの処理液の供給、および流出管２５からの処理液の排出が停止されている状態のことを言い、例えば、超音波による振動や、シェーカーを用いた揺動が付与されていてもよい。
【０１３４】
なお、上記では、本工程［Ｓ２Ｂ］において、処理液中に吸着剤３を静置する場合について説明したが、本工程［Ｓ２Ｂ］では、処理液に吸着剤３が接触していればよく、流入管２４からカラム２内に対する処理液の供給を継続して、吸着剤３に処理液が通液された状態を維持することによっても、吸着剤３を処理することができる。ただし、処理液中に吸着剤３を静置する方法を選択することで、無駄となる処理液の減少を図ることができる。また、吸着剤３に処理液を通液する方法を選択した場合、処理液の流速は、好ましくは０．１ｍＬ／分以上１０ｍＬ／分以下程度に設定され、より好ましくは０．２ｍＬ／分以上５ｍＬ／分以下程度に設定される。
【０１３５】
以上のような本工程［Ｓ２Ｂ］、すなわち、ハイドロキシアパタイト充填剤としての吸着剤３を、アルコールもしくはＮａＯＨを含む処理液で処理することにより、耐久性を向上させたハイドロキシアパタイト充填剤（吸着剤３）を得る再生産工程が構成される。
【０１３６】
以上のような操作により、タンパク質の分離が実施されたハイドロキシアパタイト充填剤すなわち吸着剤３に、優れた耐久性を付与することができることから、この吸着剤３を備える吸着装置１を、上述した分離方法に供することができる。
【０１３７】
なお、以上の説明では、タンパク質を帯電物質の一例としたが、帯電物質のうち負帯電物質としては、酸性タンパク質の他、酸性アミノ酸、ＤＮＡ、ＲＮＡ、および負電荷リポソーム等が挙げられ、正帯電物質としては、塩基性タンパク質の他、塩基性アミノ酸、正電荷コレステロールおよび正電荷リポソーム等が挙げられる。
【０１３８】
以上、本発明の処理方法、生産方法およびハイドロキシアパタイト充填剤について説明したが、本発明は、これに限定されるものではない。
【０１３９】
例えば、本発明の処理方法および生産方法では、任意の目的で、１以上の工程を追加することができる。
【実施例】
【０１４０】
次に、本発明の具体的実施例について説明する。
１．吸着装置の製造
吸着剤（充填剤）すなわちハイドロキシアパタイト充填剤としてハイドロキシアパタイト（ＢＩＯ−ＲＡＤ社製、ＣＨＴ  ４０μｍ  Type  Ｉ）を、ステンレスカラム（内径４．０ｍｍ×長さ１００ｍｍ，フィルタ２．０μｍ）の充填空間にほぼ満量となるように充填して、吸着装置を製造した。
【０１４１】
２．吸着装置が備える吸着剤に対する、第１の液体および第２の液体の接触
（実施例１）
＜１Ａ＞  まず、吸着装置を、クロマト装置に装着した。その後、４００ｍＭリン酸ナトリウム緩衝液（ｐＨ６．５、温度２５℃）を、通液速度０．５ｍＬ／ｍｉｎ、通液量１０ＣＶで吸着装置に通液することで、吸着装置を４００ｍＭリン酸ナトリウム緩衝液で置換した。
【０１４２】
＜２Ａ＞  次に、１０ｍＭリン酸ナトリウム緩衝液（ｐＨ６．５、温度２５℃）を、通液速度０．５ｍＬ／ｍｉｎ、通液量１５ＣＶで吸着装置に通液することで、吸着装置を平衡化した。
【０１４３】
＜３Ａ＞  次に、１０ｍＭリン酸ナトリウムと１．０Ｍ塩化ナトリウムとを含むリン酸ナトリウム緩衝液（ｐＨ６．５、温度２５℃）を、通液速度０．５ｍＬ／ｍｉｎ、通液量１０ＣＶで吸着装置に通液することで、吸着装置が備える吸着剤に吸着したタンパク質を分離する工程を想定した。
【０１４４】
＜４Ａ＞  次に、４００ｍＭリン酸ナトリウム緩衝液（ｐＨ６．５、温度２５℃）を、通液速度０．５ｍＬ／ｍｉｎ、通液量１０ＣＶで吸着装置に通液することで、吸着装置を洗浄した。
【０１４５】
＜５Ａ＞  次に、１．０Ｍ水酸化ナトリウム水溶液（温度２５℃）を、通液速度０．５ｍＬ／ｍｉｎ、通液量１０ＣＶで吸着装置に通液することで、吸着装置をアルカリ洗浄した。
【０１４６】
＜６Ａ＞  次に、２０ｗｔ％エタノール水溶液（温度２５℃）を、通液速度０．５ｍＬ／ｍｉｎ、通液量１０ＣＶで吸着装置に通液することで、吸着装置に充填された吸着剤を２０ｗｔ％エタノール水溶液（第２の液体）中に浸漬させた。そして、この状態で、充填剤を４８時間保存することで、２０ｗｔ％エタノール水溶液（第２の液体）を吸着剤に接触させた。
【０１４７】
この実施例１では、前記工程＜１Ａ＞〜前記工程＜５Ａ＞により、吸着装置が備える吸着剤に、所定の物質を含む第１の液体を接触させる第１ステップが構成され、前記工程＜６Ａ＞により、吸着装置が備える吸着剤に、アルコールを含む第２の液体を接触させる第２ステップが構成される。
【０１４８】
（実施例２、比較例１〜比較例４）
前記工程＜６Ａ＞における第２の液体として、２０ｗｔ％エタノール水溶液に代えて、表１に示すものを用いたこと以外は、前記実施例１と同様にして、吸着装置が備える吸着剤に対して、第１の液体および第２の液体を接触させた。
【０１４９】
（実施例３〜実施例７、比較例５〜比較例９）
前記工程＜６Ａ＞における第２の液体として、２０ｗｔ％エタノール水溶液に代えて、表１に示すものを用い、さらに、前記工程＜６Ａ＞において、第２の液体に浸漬した状態で、充填剤を保存する時間を、７日間に変更したこと以外は、前記実施例１と同様にして、吸着装置が備える吸着剤に対して、第１の液体および第２の液体を接触させた。
【０１５０】
（実施例８）
前記工程＜４Ａ＞に先立って、下記工程＜７Ａ＞を追加したこと以外は、前記実施例３と同様にして、吸着装置が備える吸着剤に対して、第１の液体および第２の液体を接触させた。
【０１５１】
＜７Ａ＞  次に、５ｍＭリン酸ナトリウムと０．５Ｍ塩化ナトリウムとを含むリン酸ナトリウム緩衝液（ｐＨ６．５、温度２５℃）を、通液速度０．５ｍＬ／ｍｉｎ、通液量５ＣＶで吸着装置に通液し、次いで、１０ｍＭ塩化カルシウムと５０ｍＭ・ＭＥＳとを含むＭＥＳ緩衝液（ｐＨ６．５、温度２５℃）を、通液速度０．５ｍＬ／ｍｉｎ、通液量５ＣＶで吸着装置に通液し、次いで、５ｍＭリン酸ナトリウムと０．５Ｍ塩化ナトリウムとを含むリン酸ナトリウム緩衝液（ｐＨ６．５、温度２５℃）を、通液速度０．５ｍＬ／ｍｉｎ、通液量５ＣＶで吸着装置に通液することで、吸着装置が備える吸着剤にカルシムを補填した。
【０１５２】
（参考例１）
吸着剤に対して第２の液体を接触させる前記工程＜６Ａ＞を省略したこと以外は、前記実施例１と同様にして、吸着装置が備える吸着剤に対して、第１の液体を単独で接触させた。
【０１５３】
（参考例２）
吸着剤に対して第２の液体を接触させる前記工程＜６Ａ＞を省略したこと以外は、前記実施例８と同様にして、吸着装置が備える吸着剤に対して、第１の液体を単独で接触させた。
【０１５４】
３．評価
各実施例および各比較例、各参考例における、吸着装置が備える吸着剤に対する第１の液体および第２の液体の接触、すなわち、前記工程＜１Ａ＞〜前記工程＜７Ａ＞を、吸着装置における内圧が上昇し、カラムの耐圧を超えた時点で終了として、各実施例および各比較例、各参考例について、それぞれ、繰り返して実施した。
【０１５５】
各実施例および各比較例、各参考例において、前記工程＜１Ａ＞〜前記工程＜７Ａ＞が繰り返して実施された回数を、表１に示す。
【０１５６】
なお、実施例３および参考例１については、この回数の測定を、合計３回実施したことから、測定された回数の平均一値を、表１に示す。
【０１５７】
【表１】
2020099909.tif 000003
【０１５８】
表１から明らかなように、実施例５〜実施例７のように、第２の液体（保存液）として、含有量が０．０５Ｍ以下のＮａＯＨを含むものを用いることにより、参考例１に示すように、第２の液体（保存液）による処理すなわち保存を省略した場合との比較では、繰り返し回数が増加する傾向を示すとは言えないものの、比較例１〜比較例８に示すように、含有量が０．０５Ｍ超のＮａＯＨを含むものを用いた場合と比較して、第２の液体（保存液）に保存する（接触させる）時間を考慮すると、繰り返し回数が増加する傾向を示していることから、吸着剤、すなわち、ハイドロキシアパタイト充填剤の耐久性が向上する結果を示した。
【０１５９】
また、実施例１〜実施例４、実施例８のように、第２の液体（保存液）として、アルコール（エタノール）を含むものを用いて処理すなわち保存することにより、比較例１〜比較例８に示すように、含有量が０．０５Ｍ超のＮａＯＨを含むものを用いた場合、また、実施例５〜実施例７に示すように、含有量が０．０５Ｍ以下のＮａＯＨを含むものを用いた場合、さらには、予想外にも、参考例１、２に示すように、第２の液体（保存液）による処理すなわち保存を省略した場合と比較して、第２の液体（保存液）に保存する（接触させる）時間を考慮すると、繰り返し回数がより増加する傾向を示していることから、吸着剤、すなわち、ハイドロキシアパタイト充填剤の耐久性を、より向上させ得る結果が得られた。
【符号の説明】
【０１６０】
１                吸着装置
２                カラム
３                吸着剤
４                フィルタ部材
５                フィルタ部材
２０              吸着剤充填空間
２１              カラム本体
２２              キャップ
２３              キャップ
２４              流入管
２５              流出管
【図１】
2020099909.tif 000004
【図２】
2020099909.tif 000005